(57)【特許請求の範囲】
【請求項１】
中央部から外周側に向けて年輪状の複数の屋根ブロックを接続しながら基礎上に屋根構造物を構築する屋根構造物の構築方法において、各屋根ブロックをそれらの各外周下部の基礎上に設置した仮設支柱で支持しつつ順次あるいは同時に組み立てるとともに、中央部から放射状に敷設された複数の移動用レール上を中央部から外周側へ移動し、前記仮設支柱よりも中央部よりに位置する複数のプッシュアップ装置により、中央部から外周側に向けて前記各屋根ブロックを順次上昇させ、隣接する屋根ブロック同士の継手接合部を順次接続していくことを特徴とする屋根構造物の構築方法。
【請求項２】
前記複数のプッシュアップ装置のための移動用レール間において、放射状あるいは前記移動用レールと平行に仮設支柱用レールを敷設するとともに、前記中央部から外周側に向けての各屋根ブロックの組み立てに合わせて、前記複数の仮設支柱をこれらの仮設支柱用レール上を中央部から外周側へ移動させることを特徴とする請求項１に記載の屋根構造物の構築方法。
【請求項３】
前記プッシュアップ装置のための移動用レールおよび仮設支柱用レールを各複数列として、これら複数列レールに載置されたプッシュアップ装置および仮設支柱を対として交互に使用しつつ移動させ、順次中央部から外周側に向けての各屋根ブロックの組立ておよびプッシュアップを行うことを特徴とする請求項１または２に記載の屋根構造物の構築方法。
【発明の詳細な説明】
【０００１】
【発明の属する技術分野】
本発明は、中央部から外周側に向けて年輪状の複数の屋根ブロックを接続しながら基礎上に屋根構造物を構築する屋根構造物の構築方法に関する。
【０００２】
【従来の技術】
屋根構造物、特に大径の大屋根構造物の施工は、従来から数多くの構築方法により行われている。例えば、地上の基礎上で屋根構造物の全てが組み立てられ、これを仮設支柱上に組まれた複数の吊上げ装置で一挙にジャッキアップして構築したり、あるいは、基礎上に配置された複数のプッシュアップ装置で一挙に屋根構造物全体を押し上げるリフトアップ工法や、屋根構造物を基礎上で所定の大きさにブロック組みしておき、これらをラフタクレーン等を用いて組み立てるクレーン工法、あるいは屋根構造物の下部に足場を築き、該足場の上に構造物を構築する総足場工法等がある。
【０００３】
しかしながら、これら従来の屋根構造物の構築方法にあって、地上の基礎上で全てが組み立てられた屋根構造物全体を一挙に構築するところの、前記ジャッキアップ構築方法やリフトアップ工法では、屋根構造物が大径であるため、ジャッキアップのための吊上げ装置やプッシュアップ装置に大きな荷重負担を強いられて、装置自体が莫大な規模と能力の大型重機が要求される上、そのための敷地確保が困難となる虞れもあった。さらに、屋根構造物全体を地上の基礎上で組み立てるため、仮設支柱の規模も大きくならざるを得ないものであった。また、前記総足場工法にあっても大屋根構造物に対応させて足場の規模が大がかりになった。その上、これらの各工法では危険な高所作業を伴い、作業の安全性が確保されなかった。
【０００４】
そこで、本件出願人が鋭意研究を重ねている前記クレーン工法等に見られるような、屋根構造物を基礎上で所定の大きさにブロック組みしておき、これらをラフタクレーン等を用いて構築する、言わばブロック構築工法が提案された。図７に概要を示す。簡単に説明すると、最終的な屋根構造物の外周を画成する最外周部リング構造体が下部構造体上に構築され、これら構造体の内側の基礎上にて中央部大張間架構と中間部リング構造体が構築される。
【０００５】
これら各構造体の構築が完了すると、前記中央部大張間架構を吊上げまたは押上げにより上昇させて、その外周の接合部が中間部リング構造体の内周の接合部に合致した時点で、これらの接合部を連結し、連結が完了すると、これらの連結された構造物をさらに吊上げまたは押上げにより上昇させて、中間部リング構造体の外周の接合部が前記最外周部リング構造体の内周の接合部に合致した時点で、これらの接合部を連結し、構築を完了させるものである。
【０００６】
このブロック構築工法により、従来では不可能であったきわめて大きな径の大屋根構造物でも、一般的なクレーンやプッシュアップ装置等を使用して容易に構築することができることとなり、高所作業が少なく安全で、架設のための資材も多くを必要とせず、工期の短縮やコストの低減が図れることとなった。
【０００７】
【発明が解決しようとする課題】
ところが、この画期的なブロック構築工法の提案により、大がかりでない一般的なクレーンやプッシュアップ装置等の使用でも、大屋根構造物を容易にかつ低コストで構築することが可能となったものの、各ブロック化された屋根構造物の組立てのための仮設支柱、およびこれらの構造物の吊上げまたは押上げのためのクレーンやプッシュアップ装置等は、依然として各ブロック毎に必要となるか、あるいは各ブロック間を移動させる必要があった。これらの機材をブロック毎に準備するのはコスト高を招き、機材のブロック間移動は甚だ面倒な作業を伴って非効率的であった。
【０００８】
そこで本発明では、前記従来の屋根構造物の構築工法の諸課題を解決して、安全で、低能力の機材による構築が可能なブロック構築工法の利点を活かしつつ、機材のブロック間での移動を容易にして機材個数の削減を可能にするとともに、手間待ちを減少させて作業時間を短縮できる屋根構造物の構築工法を提供することを目的とする。
【０００９】
【課題を解決するための手段】
このため本発明は、中央部から外周側に向けて年輪状の複数の屋根ブロックを接続しながら基礎上に屋根構造物を構築する屋根構造物の構築方法において、各屋根ブロックをそれらの各外周下部の基礎上に設置した仮設支柱で支持しつつ順次あるいは同時に組み立てるとともに、中央部から放射状に敷設された複数の移動用レール上を中央部から外周側へ移動し、前記仮設支柱よりも中央部よりに位置する複数のプッシュアップ装置により、中央部から外周側に向けて前記各屋根ブロックを順次上昇させ、隣接する屋根ブロック同士の継手接合部を順次接続していくことを特徴とする。また本発明は、前記複数のプッシュアップ装置のための移動用レール間において、放射状あるいは前記移動用レールと平行に仮設支柱用レールを敷設するとともに、前記中央部から外周側に向けての各屋根ブロックの組み立てに合わせて、前記複数の仮設支柱をこれらの仮設支柱用レール上を中央部から外周側へ移動させることを特徴とする。また本発明は、前記プッシュアップ装置のための移動用レールおよび仮設支柱用レールを各複数列として、これら複数列レールに載置されたプッシュアップ装置および仮設支柱を対として交互に使用しつつ移動させ、順次中央部から外周側に向けての各屋根ブロックの組立ておよびプッシュアップを行うことを特徴とするもので、これらを課題解決のための手段とするものである。
【００１０】
【実施の形態】
以下、本発明の屋根構造物の構築方法の実施の形態を図面に基づいて詳細に説明する。図１〜図３は本発明の屋根構造物の構築方法の第１実施の形態を示すもので、図１（Ａ）〜（Ｃ）は屋根構造物の構築中の前半工程の断面図、図２（Ａ）、（Ｂ）は後半工程の断面図、図３は屋根構造物の全体平面図である。本発明の構造物の構築方法は、図１に示すように、中央部から外周側に向けて年輪状の複数の屋根ブロック１Ａ〜１Ｅを接続しながら基礎Ｇ上に屋根構造物１を構築する屋根構造物１の構築方法において、各屋根ブロック１Ａ〜１Ｅをそれらの各外周下部の基礎上に設置した仮設支柱３Ａ〜３Ｅで支持しつつ順次あるいは同時に組み立てるとともに、中央部から放射状に敷設された複数の移動用レール２、２・・・上を中央部から外周側へ移動する複数のプッシュアップ装置４、４・・・により、中央部から外周側に向けて前記各屋根ブロック１Ａ〜１Ｅを順次上昇させ、隣接する屋根ブロック同士の継手接合部５Ａ〜５Ｄを順次接続していくことを特徴とする。
【００１１】
以下詳細に説明する。図１（Ｃ）および後述する図３にて理解されるように、屋根構造物１は年輪状の複数の屋根ブロック１Ａ〜１Ｅに分割構成される。図示の例は円形の屋根構造物であるが、平面で楕円形や方形あるいは多角形であってもよいことは言うまでもない。また、図示の例では１Ａ〜１Ｅの５つにブロック化されているが、分割されるブロック数は適宜選定でき、５つに限定されるものではない。さらに、図示の屋根構造体１は階段状の多段形状を呈して、各段部に緑化ユニット等が載置される緑化屋根構造物に適するものであるが、これに限定されるものではない。図示の円形の屋根構造物１を例として以下に説明する。
【００１２】
図１（Ａ）に示すように、地面等の基礎Ｇ上に、屋根構造物１の最外周の周縁を画成する位置に最外周第５屋根ブロック１Ｅが円周上の複数箇所に設置された第５仮設支柱３Ｅ上にて組み立てられる。該最外周第５屋根ブロック１Ｅは予め組み立てられていてもよいが、最後に組み立てられてもよい。最外周第５屋根ブロック１Ｅによって画成される範囲の内側において、中央部から外周側に向けて基礎Ｇ上に放射状に複数の移動用レール２、２・・・が敷設される。これらの移動用レール２、２・・・上には後述する各屋根ブロックを押し上げるために使用されるプッシュアップ装置４、４・・・が転動載置される。先ず、図１（Ａ）のように、基礎Ｇ上の中央部において、中央第１屋根ブロック１Ａの外周位置の基礎Ｇ上の複数箇所に設置した仮設支柱３Ａ、３Ａ・・・で支持しつつ小円形の中央第１屋根ブロック１Ａが組み立てられる。本実施の形態ではこれらの第１仮設支柱３Ａ、３Ａ・・・は移動用レール２外の基礎Ｇ上に設置される。
【００１３】
前記小円形の中央第１屋根ブロック１Ａの組立てが完了する以前あるいは組立ての完了後で、後述するプッシュアップ装置４によるプッシュアップ作業の準備中に、該中央第１屋根ブロック１Ａに隣接してその外周にリング状第２屋根ブロック１Ｂが組み立てられる。リング状第２屋根ブロック１Ｂは、その外周下部の基礎Ｇ上の複数箇所に設置した第２仮設支柱３Ｂ、３Ｂ・・・で支持しつつ組み立てられる。該リング状第２屋根ブロック１Ｂの内周寸法は、前記中央第１屋根ブロック１Ａの外周寸法に略等しく構成され、それらの対向面に継手接合部５Ａが形成される。前記中央第１屋根ブロック１Ａのプッシュアップ作業の準備は、その外周下部に設置された第１仮設支柱３Ａよりも中央部よりの移動用レール２上の所定位置にプッシュアップ装置４を載置して配置するとともに、基礎Ｇ上にアウトリガーで固定するか、移動用レール２に対してブレーキロック等の固縛により行われ、安全施工が図られる。これらの中央第１屋根ブロック１Ａのプッシュアップ作業の準備中に、前記リング状第２屋根ブロック１Ｂの組立が完成するのを待って、前記複数の移動用レール２上の各プッシュアップ装置４のプシュアップ作業を一斉に開始する。
【００１４】
プッシュアップ装置についての図示しての詳細は説明しないが、一般的なプッシュアップ装置、例えば、複数の径の異なる管部材を嵌合してなる伸縮サポートを、装置自体に併設のガイドタワー上に設置したジャッキ等の吊上げ部材により順次繰り出して、伸長位置にて各管部材間をピン部材等によって固定することにより、前記伸縮サポートの上部に固定した屋根ブロックを徐々に押し上げていく等の種々の形態のものが採用され得る。図１（Ａ）の状態から、プッシュアップ装置４を伸長させていくと、中央第１屋根ブロック１Ａは、その外周が支持されていた第１仮設支柱３Ａから離れて上昇を続ける。中央第１屋根ブロック１Ａの外周がその外側に組み立てられた前記リング状第２屋根ブロック１Ｂの内周の継手接合部の高さと同一になった時点で、これらの第１継手接合部５Ａ同士を適宜の固定具で接続する。好適には、前記継手接合部５Ａ同士が同一高さになる直前に、前記リング状第２屋根ブロック１Ｂを第２仮設支柱３Ｂを中心として僅か上方へ揺動させることで、リング状第２屋根ブロック１Ｂの内周側の接合面を外側に傾斜させ、略鉛直面に形成された第１継手接合部５Ａにおける接合面同士が干渉するのを有効に回避させる動作が採られる。
【００１５】
接続が完了すると、前記プッシュアップ装置４を縮小させて、中央第１屋根ブロック１Ａから開放させる。このとき、一体化された中央第１屋根ブロック１Ａとリング状第２屋根ブロック１Ｂは、リング状第２屋根ブロック１Ｂの外周下部に設置された第２仮設支柱３Ｂにより支持されることなる。荷重負担から開放された複数のプッシュアップ装置４の固縛を解いて、各移動用レール２上を外周側へ移動させ、もとのリング状第２屋根ブロック１Ｂの下部における第２仮設支柱３Ｂより中央部よりにセットする。その上で、前述同様に基礎Ｇ上にアウトリガーで固定するか、移動用レール２に対してブレーキロック等の固縛により位置固定する。これらの作業中に、さらに外周側に隣接させて、第３仮設支柱３Ｃ、３Ｃ・・・で支持しつつリング状第３屋根ブロック１Ｃが組み立てられる。この状態が図１（Ｂ）である。
【００１６】
この工程を、中央部から外周側に順次繰り返していく。図１（Ｃ）は２回目のプッシュアップ作業が完了して、リング状第２屋根ブロック１Ｂの外周とリング状第３屋根ブロック１Ｃの内周との間の第２継手接合部５Ｂが接続され、同時に第４仮設支柱３Ｄ上にてリング状第４屋根ブロック１Ｄが組み立てられた状態を示すものである。図１（Ｃ）の状態から、プッシュアップ装置４は移動用レール２上を外周側へ移動してリング状第３屋根ブロック１Ｃの下部の４’位置にセットされる。図１（Ｃ）の４’位置にてプッシュアップ装置４を伸長して、リング状第３屋根ブロック１Ｃの外周とリング状第４屋根ブロック１Ｄの内周との間の第３継手接合部５Ｃが接続された状態が図２（Ａ）である。
【００１７】
図２（Ａ）での３回目のプッシュアップ作業が完了すると、プッシュアップ装置４を縮小した上で移動用レール２上を位置４”へ移動させ、４回目のプッシュアップ作業によって、リング状第４屋根ブロック１Ｄの外周と最外周第５屋根ブロック１Ｅの内周との間の第４継手接合部５Ｄが接続されて、屋根構造物１の構築が完了する。この状態を示したものが図２（Ｂ）である。図３は構築が完了した屋根構造物１の全体平面図であり、中央部から外周側に向けて放射状に敷設された移動用レール２、２・・・や、これらの移動用レール２上を放射方向に移動する（矢印）プッシュアップ装置４のセット形態が明瞭に示されている。
【００１８】
図４および図５は本発明の屋根構造物の構築方法の第２実施の形態を示すもので、本実施の形態のものは、各屋根ブロックの組立てを外周下部に設置した仮設支柱３と内周下部に設置した中間仮設支柱７により支持しつつ行うものであり、また、本実施の形態のものは、屋根構造物１が地面等の基礎Ｇ上に直接構築されずに、屋根構造物１の最外周の周縁を画成する下部構造物としての外周躯体（観客スタンド等）６の上に構築されるものである。したがって、本実施の形態のものは、外周躯体６内の基礎に相当するグランドＧ上にて、前記実施の形態と同様の工程にて、図４（Ａ）〜（Ｅ）まで中央第１屋根ブロック１Ａ〜リング状第３屋根ブロック１Ｃの構築が行われる。次いで、図５（Ａ）に示すように、外周躯体６上にて組み立てられたリング状第４屋根ブロック１Ｄを接続し、最終的に図５（Ｂ）に示すように、外周躯体６の外周壁を兼用する最外周第５屋根ブロック１Ｅを接続して屋根構造物１の構築を完了する。したがって、本実施の形態では移動用レール２上に載置されたプッシュアップ装置４は、最終プッシュアップ時には外周躯体６の高さ分だけの伸長ストロークを必要とする。
【００１９】
また、本発明の屋根構造物の構築方法では、図示しての説明は省略するが、前記複数のプッシュアップ装置４のための移動用レール２、２間において、放射状あるいは前記移動用レール２と平行に仮設支柱用レールを敷設するとともに、前記中央部から外周側に向けての各屋根ブロック１Ａ〜１Ｅの組み立てに合わせて、前記複数の仮設支柱、例えば略同一円周上に配置すべき仮設支柱３Ａ、３Ａ・・・のみをこれらの仮設支柱用レール上を中央部から外周側へ移動させるように構成してもよい。このような構成によって、中央部よりの内側の屋根ブロックのプッシュアップ作業中に、荷重の負担から開放された各仮設支柱３Ａを移動用レール２とは独立して敷設された仮設支柱用レール上を外周側の屋根ブロックの組立て位置へ移動させることができ、工期の遅延を伴うことなく仮設支柱資材の削減が可能となる。しかも移動用レール２とは独立して敷設されるので、移動用レールよりもさらに外周側までの移動、セットが必要な仮設支柱に対応できる。本実施の形態のものは、基礎上にのみ構築される前記第１実施の形態のものに最適である。
【００２０】
さらに、本発明の屋根構造物の構築方法では、前記プッシュアップ装置４のための移動用レール２および仮設支柱用レールを各複数列として、これら複数列レールに載置されたプッシュアップ装置４および仮設支柱３Ａを対として交互に使用しつつ移動させ、順次中央部から外周側に向けて各屋根ブロック１Ａ〜１Ｅの組立ておよびプッシュアップを行うように構成してもよい。この構成により、中央部よりの内側の屋根ブロックのプッシュアップ作業完了前に、複数列レールの対の相手側に載置したプッシュアップ装置４および仮設支柱３Ａを外周側の屋根ブロックの組立て位置へ移動させる（プッシュアップ装置４および仮設支柱３Ａは、中央部より内側の屋根ブロックと干渉しない高さに縮小させて、外周側の屋根ブロックの組立て位置に移動することが可能である）ことができるので、外周側の屋根ブロックの組立てを、前記移動したプッシュアップ装置４および仮設支柱３Ａ上で行え、かつプッシュアップ作業の準備も行うことができて、さらに工期の短縮が可能となる。
【００２１】
図６は実際に多用される屋根構造物の断面図で、保守設備や照明設備が載置される吊り床８Ａ、８Ｂが基礎Ｇ上で組み立てられて、屋根ブロックのプッシュアップ時に同時に吊り上げられる。詳述はしないが、屋根構造物の外部の仕上げ材や緑化ユニット（都市緑化と空気浄化およびドーム内の高温抑止効果を目的として奨励されるもので、図示の階段状の屋根構造物の上面の各段部に培養土に植物が植栽されたプランタン状のユニット）等も同時にプッシュアップされる。また、仮設支柱の数量削減を考慮しなければ、各屋根ブロック１Ａ〜１Ｅの組立てを基礎上にて同時に組み立てておくことも本発明の範疇内にある。
【００２２】
以上、本発明の各実施の形態について説明してきたが、本発明の趣旨の範囲内で、屋根構造物の形状すなわち各屋根ブロックの形状（年輪状であれば、平面視で円形に限らず、楕円、方形、多角形等、断面形状および径方向の幅等も各屋根ブロック毎に異なってもよい）、形式（トラス構造の他、桁構造等）、移動用レールおよび仮設支柱用レールの敷設形態（基礎の上に敷設してもよいし、刻設した溝内に敷設してもよい）および配列形態（好適には中央部を中心とした放射状およびこれに平行とされるが、屋根ブロックの付属設備と干渉する虞れが有る場合には、各レールを基礎上で揺動調整可能に構成することもできる）、プッシュアップ装置および仮設支柱ならびに中間仮設支柱等の形状、形式および配設数、また、それらのレールへの載置形態および屋根ブロックの支持形態（好適には、単なる支持のみではなく、継手接合部の接続時の傾斜を行うための支点となる仮設支柱との間にずれ等が生じないような支持形態が採用される）、屋根ブロック同士の継手接合部の形状および接続形態、外周躯体の形状、形式等については適宜採用が可能である。
【００２３】
【発明の効果】
以上、詳細に説明してきたように本発明によれば、中央部から外周側に向けて年輪状の複数の屋根ブロックを接続しながら基礎上に屋根構造物を構築する屋根構造物の構築方法において、各屋根ブロックをそれらの各外周下部の基礎上に設置した仮設支柱で支持しつつ順次あるいは同時に組み立てるとともに、中央部から放射状に敷設された複数の移動用レール上を中央部から外周側へ移動し、前記仮設支柱よりも中央部よりに位置する複数のプッシュアップ装置により、中央部から外周側に向けて前記各屋根ブロックを順次上昇させ、隣接する屋根ブロック同士の継手接合部を順次接続していくことにより、通常能力の汎用の必要最小限の数の機材にて敷地制限もなく、各屋根ブロックの構築とプッシュアップ作業とを手間待ちがなく系統的かつ効率的に行えて工期短縮と建設コストの大幅な削減が可能となる上、高所作業を伴うこともなく安全である。
【００２４】
また、前記複数のプッシュアップ装置のための移動用レール間において、放射状あるいは前記移動用レールと平行に仮設支柱用レールを敷設するとともに、前記中央部から外周側に向けての各屋根ブロックの組み立てに合わせて、前記複数の仮設支柱をこれらの仮設支柱用レール上を中央部から外周側へ移動させる場合は、中央部よりの内側の屋根ブロックのプッシュアップ作業中に、荷重の負担から開放された各仮設支柱を移動用レールとは独立して敷設された仮設支柱用レール上を外周側の屋根ブロックの組立て位置へ移動させることができ、工期の遅延を伴うことなく仮設支柱資材の削減が可能となる。しかも移動用レールとは独立して敷設されるので、移動用レールよりもさらに外周側までの移動、セットが必要な仮設支柱に対応できる。
【００２５】
さらに、前記プッシュアップ装置のための移動用レールおよび仮設支柱用レールを各複数列として、これら複数列レールに載置されたプッシュアップ装置および仮設支柱を対として交互に使用しつつ移動させ、順次中央部から外周側に向けての各屋根ブロックの組立ておよびプッシュアップを行う場合は、中央部よりの内側の屋根ブロックのプッシュアップ作業完了前に、複数列レールの対の相手側に載置したプッシュアップ装置および仮設支柱を外周側の屋根ブロックの組立て位置へ移動させることができるので、外周側の屋根ブロックの組立てを、前記移動したプッシュアップ装置および仮設支柱上で行え、かつプッシュアップ作業の準備も行うことができて、さらに工期の短縮が可能となる。
かくして、本発明によれば、安全で、低能力の機材による構築が可能なブロック構築工法の利点を活かしつつ、機材のブロック間での移動を容易にして機材個数の削減を可能にするとともに、手間待ちを減少させて作業時間を短縮できる屋根構造物の構築工法が提供される。
【図面の簡単な説明】
【図１】本発明の屋根構造物の構築方法の第１実施の形態を示すもので、図１（Ａ）〜（Ｃ）は屋根構造物の構築中の前半工程の断面図である。
【図２】同、図２（Ａ）、（Ｂ）は後半工程の断面図である。
【図３】同、屋根構造物の全体平面図である。
【図４】本発明の屋根構造物の構築方法の第２実施の形態を示すもので、図４（Ａ）〜図４（Ｅ）は、基礎上での屋根構造物の構築中の前半工程の断面図である。
【図５】同、図５（Ａ）、（Ｂ）は外周躯体上での後半工程の断面図である。
【図６】実際に多用される屋根構造物の断面図で、保守設備や照明設備が載置される吊り床を有するものである。
【図７】従来の屋根構造体の構築工法を示す全体断面図である。
【符号の説明】
１・・・・屋根構造物
１Ａ・・・・中央第１屋根ブロック
１Ｂ・・・・リング状第２屋根ブロック
１Ｃ・・・・リング状第３屋根ブロック
１Ｄ・・・・リング状第４屋根ブロック
１Ｅ・・・・最外周第５屋根ブロック
２・・・・移動用レール
３・・・・仮設支柱
３Ａ・・・・第１仮設支柱
３Ｂ・・・・第２仮設支柱
３Ｃ・・・・第３仮設支柱
３Ｄ・・・・第４仮設支柱
３Ｅ・・・・第５仮設支柱
４・・・・プッシュアップ装置
５・・・・継手接合部
５Ａ・・・・第１継手接合部
５Ｂ・・・・第２継手接合部
５Ｃ・・・・第３継手接合部
５Ｄ・・・・第４継手接合部
６・・・・外周躯体（スタンド）
７・・・・中間仮設支柱
８・・・・吊り床
Ｇ・・・・基礎
【図１】
0003708060.tif 000002
【図２】
0003708060.tif 000003
【図３】
0003708060.tif 000004
【図４】
0003708060.tif 000005
【図５】
0003708060.tif 000006
【図６】
0003708060.tif 000007
【図７】
0003708060.tif 000008